【手続補正書】
【提出日】平成21年12月2日(2009.12.2)
【手続補正１】
【補正対象書類名】特許請求の範囲
【補正対象項目名】全文
【補正方法】変更
【補正の内容】
【特許請求の範囲】
【請求項１】
カメラは、撮影手段と、前記撮影手段により撮影された画像を保存する保存手段と、前記保存手段により保存された画像を選択する選択手段と、第１の無線通信手段を有し、前記撮影手段による撮影時に、撮影が行われた時間帯と場所を示すイベント識別子を前記第１の無線通信手段によりアクセスポイントから受信し、前記受信したイベント識別子を前記保存手段により保存された画像に付与し、前記保存手段により保存された画像が前記選択手段により選択されると、前記選択された画像に付与されたイベント識別子を前記第１の無線通信手段によりディスプレイに送信し、
前記ディスプレイは、第２の無線通信手段を有し、前記第１の無線通信手段により送信されたイベント識別子を前記第２の無線通信手段により受信し、前記第２の無線通信手段により通信可能な範囲内のカメラに、前記イベント識別子が付与された画像を前記第２の無線通信手段により要求することを特徴とする画像要求方法。
【請求項２】
カメラは、撮影手段と、前記撮影手段により撮影された画像を保存する保存手段と、前記保存手段により保存された画像を選択する選択手段と、第１の無線通信手段を有し、前記撮影手段による撮影時に、撮影が行われた時間帯と場所を示すイベント識別子を前記第１の無線通信手段によりアクセスポイントから受信し、前記受信したイベント識別子を前記保存手段により保存された画像に付与し、前記保存手段により保存された画像が前記選択手段により選択されると、前記選択された画像に付与されたイベント識別子を前記第１の無線通信手段によりディスプレイに送信し、
前記ディスプレイは、第２の無線通信手段を有し、前記第１の無線通信手段により送信されたイベント識別子を前記第２の無線通信手段により受信し、前記第２の無線通信手段により通信可能な範囲内のカメラに、前記イベント識別子が付与された画像のサムネイル画像を前記第２の無線通信手段により要求することを特徴とする画像要求方法。
【請求項３】
請求項１または２に記載の画像要求方法であって、前記カメラは、時計手段をさらに有し、前記撮影手段による撮影時に、前記時計手段の現在時刻が、前記アクセスポイントから受信したイベント識別子が示す時間帯内であるか確認することを特徴とする画像要求方法。
【請求項４】
請求項１または２に記載の画像要求方法であって、前記カメラは、位置検知手段をさらに有し、前記撮影手段による撮影時に、前記位置検知手段により検知された現在位置が、前記アクセスポイントから受信したイベント識別子が示す場所の範囲内であるか確認することを特徴とする画像要求方法。
【手続補正２】
【補正対象書類名】明細書
【補正対象項目名】発明の名称
【補正方法】変更
【補正の内容】
【発明の名称】画像要求方法
【手続補正３】
【補正対象書類名】明細書
【補正対象項目名】０００１
【補正方法】変更
【補正の内容】
【０００１】
本発明は、画像要求方法に関する。
【手続補正４】
【補正対象書類名】明細書
【補正対象項目名】０００８
【補正方法】変更
【補正の内容】
【０００８】
上記課題を解決するため、本発明による画像要求方法は以下の構成を備える。すなわち、カメラは、撮影手段と、前記撮影手段により撮影された画像を保存する保存手段と、前記保存手段により保存された画像を選択する選択手段と、第１の無線通信手段を有し、前記撮影手段による撮影時に、撮影が行われた時間帯と場所を示すイベント識別子を前記第１の無線通信手段によりアクセスポイントから受信し、前記受信したイベント識別子を前記保存手段により保存された画像に付与し、前記保存手段により保存された画像が前記選択手段により選択されると、前記選択された画像に付与されたイベント識別子を前記第１の無線通信手段によりディスプレイに送信し、前記ディスプレイは、第２の無線通信手段を有し、前記第１の無線通信手段により送信されたイベント識別子を前記第２の無線通信手段により受信し、前記第２の無線通信手段により通信可能な範囲内のカメラに、前記イベント識別子が付与された画像を前記第２の無線通信手段により要求する。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００２１
【補正方法】変更
【補正の内容】
【００２１】
まず、アクセスポイント１０１におけるイベント識別子の生成シーケンスを説明する。アクセスポイント１０１はイベント主催者、運動会においては学校によって管理されており、父兄の持ち寄るカメラ１０５に対して、イベント識別子を配布するサービスのために設置されている。イベント識別子としては、運動会の中での各競技をイベントとして、各競技に対応する識別子が生成・配布される。生成は、まずイベント主催者であるユーザがアクセスポイント１０１の操作ボタン２０７を使ってイベント識別子切り替えの指示を行うことによって開始する。この指示は、運動会での各競技の開始時に行われる。この指示を受けて、アクセスポイント１０１は、イベント識別子を生成する。イベント識別子としては、Ｕｎｉｖｅｒｓａｌｌｙ  Ｕｎｉｑｕｅ  ＩＤｅｎｔｉｆｉｅｒ（ＵＵＩＤ）を用いる。ＵＵＩＤは、機器間で調整することなくユニークな識別子を生成するアルゴリズムによって生成される。一般には、機器のネットワークアドレスと現在時刻を用いて生成される。生成した後は、フラッシュメモリ２０４にその識別子を保存する。以上の処理は、イベント識別子生成手段１０２によって実現される。
【手続補正８】
【補正対象書類名】明細書
【補正対象項目名】００２４
【補正方法】変更
【補正の内容】
【００２４】
図５は父兄がカメラ１０５で撮影を行った際、カメラ１０５及びアクセスポイント１０１で行われる画像生成処理のシーケンスである。この処理は、父兄であるユーザがカメラ１０５の操作ボタン３１１のひとつであるシャッターボタンを押下することによって開始する（６０１）。６０１の指示を受けて、カメラ１０５はデータ生成手段１１０によって画像を生成し（６０２）、データ保持手段１１４によって画像を電磁記録媒体３０５に保存する（６０３）。次にカメラ１０５は、イベント識別子要求手段１０９、無線通信手段１０６によって無線ＬＡＮプロセッサ３１２を通じてアクセスポイント１０１にイベント識別子を要求する（６０４）。この要求はアクセスポイント１０１とカメラ１０５が無線通信可能な場合にのみ行われる。通信不可能な場合には行われない。通信可能であった場合には、アクセスポイント１０１は要求を受けて、保存したイベント識別子をイベント識別子送信手段１０３、無線通信手段１０４によって無線ＬＡＮプロセッサ２０８を通じてカメラ１０５に送信する（６０５）。すなわち、該時間帯に該空間に存在する機器に該イベント識別子を送信する。
【手続補正９】
【補正対象書類名】明細書
【補正対象項目名】００５２
【補正方法】変更
【補正の内容】
【００５２】
＜実施形態５＞
実施形態１では同じ時刻に同じ場所で複数のイベントが行われることは扱わなかったが、本実施例では、そのような場合を扱う。特に、それらのイベントに関連性がある場合を対象とする。例えば、実施形態１では学校の運動会の競技をイベントとして扱った。これを別の観点で見ると、運動会というイベントが同時に行われているとみることが出来る。同様に、その競技の中でもあるクラスの競技というイベントが同時に行われていると見ることも出来るだろう。「運動会」「競技」「クラスの競技」というイベントは、それらが階層的な関係にあるイベントである。同じ事象を別の粒度で捉えている、ともいえる。このようなイベントの扱いについては、イベント識別子に各粒度の情報を埋め込んで、共有時に各粒度でグルーピングできるようにしておけばよい。イベント識別子の付与に関する処理は実施形態１と同じ方法で可能である。図６や図７での共有処理時に、ユーザにどの粒度でのイベント画像を再生、交換するのか選択させることで、異なる粒度が扱えるようになる。また再生する際、複数階層でのグルーピングを行って再生することも出来る。再生全体は「運動会」の画像であり、その中で「競技」毎、「クラスの競技」毎に組み合わせて再生する、といったやり方である。異なる粒度のイベント画像を交換する場合には、「運動会より粒度の細かいイベント間は交換可能」といった粒度間の交換ルールを定めることで交換可能となる。